(57)【要約】  第1の無線アクセス技術(RAT)の第1のチャネル状態と、第2のRATの第2のチャネル状態とを検出するネットワークエンティティによってリソース使用を最適化するためのシステムおよび方法が提供される。ネットワークエンティティは、第1のチャネル状態は第2のチャネル状態よりも高い干渉レベルを含むかどうかを決定し、また消費電力制約を決定する。第1のチャネル状態が第2のチャネル状態よりも高い干渉レベルを含む場合、ネットワークエンティティは、消費電力制約に少なくとも部分的に基づいて、少なくとも1つのアンテナを第1のRATから第2にRATへ再割当てする。いくつかの実施形態では、アクセス端末にサービスを提供するアクセスポイントが、大セル基地局であるか、小セル基地局であるかを決定し、アクセス端末に対する電力管理アクションを決定するためのシステムおよび方法もまた提供される。
2017510195.tif 000002
【特許請求の範囲】
【請求項１】
ネットワークエンティティによるワイヤレス通信の方法であって、
前記ネットワークエンティティによって使用される第1の無線アクセス技術(RAT)の第1のチャネル状態を検出するステップと、
前記ネットワークエンティティによって使用される第2のRATの第2のチャネル状態を検出するステップと、
前記第1のチャネル状態が、前記第2のチャネル状態よりも高い干渉レベルを含むかどうかを決定するステップと、
消費電力制約を決定するステップと、
前記第1のチャネル状態が前記第2のチャネル状態よりも高い干渉レベルを含むと決定するステップに応じて、前記消費電力制約に少なくとも部分的に基づいて、少なくとも1つのアンテナを前記第1のRATから前記第2のRATへ再割当てするステップと
を含む、方法。
【請求項２】
前記消費電力制約が、現在のバッテリーレベルと、アンテナ電力増幅器能力とからなる群から選択される少なくとも1つの制約である、請求項1に記載の方法。
【請求項３】
再割当てするステップが、データスループットを最大にするステップを含む、請求項1に記載の方法。
【請求項４】
再割当てするステップが、消費電力を最小にするステップを含む、請求項1に記載の方法。
【請求項５】
前記ネットワークエンティティがアクセス端末を含む、請求項1に記載の方法。
【請求項６】
アクセス端末にサービスを提供するアクセスポイントが、大セル基地局であるか、小セル基地局であるかを決定するための手段と、
前記アクセス端末が大セル基地局であるか、小セル基地局であるかに少なくとも部分的に基づいて前記アクセス端末に対する電力管理アクションを決定するための手段と、
前記電力管理アクションを前記アクセス端末に適用するための手段と
を含む、ワイヤレス通信装置。
【請求項７】
前記電力管理アクションを適用するステップが、電力増幅器(PA)、自動利得コントローラ(AGC)、アナログデジタル変換器(ADC)、またはデジタルアナログ変換器(DAC)を、決定された設定に調整するステップを含む、請求項6に記載の装置。
【請求項８】
前記電力管理アクションを適用するステップが、前記アクセスポイントが大セル基地局であると決定することに応じて、前記アクセス端末を、より低い電力増幅器能力のアンテナからより高い電力増幅器能力のアンテナを使用することに切り替えるステップを含む、請求項6に記載の装置。
【請求項９】
前記電力管理アクションを適用するステップが、前記アクセスポイントが小セル基地局であると決定することに応じて、前記アクセス端末を、より高い電力増幅器能力のアンテナからより低い電力増幅器能力のアンテナを使用することに切り替えるステップを含む、請求項6に記載の装置。
【請求項１０】
ネットワークエンティティがアクセス端末を含む、請求項6に記載の装置。
【請求項１１】
ネットワークエンティティによって使用される第1の無線アクセス技術(RAT)の第1のチャネル状態を検出し、
前記ネットワークエンティティによって使用される第2のRATの第2のチャネル状態を検出し、
前記第1のチャネル状態が、前記第2のチャネル状態よりも高い干渉レベルを含むかどうかを決定し、
消費電力制約を決定し、
前記第1のチャネル状態が前記第2のチャネル状態よりも高い干渉レベルを含むと決定することに応じて、前記第2のRATによって使用されるように再割当てするために、前記第1のRATによって現在使用されているいくつかのアンテナを決定し、
前記決定されたいくつかのアンテナを前記第1のRATから前記第2のRATへ再割当てする
ように構成された少なくとも1つのプロセッサ
を含む、ワイヤレス通信装置。
【請求項１２】
前記消費電力制約が、現在のバッテリーレベルと、アンテナ電力増幅器能力とからなる群から選択される少なくとも1つの制約である、請求項11に記載のワイヤレス通信装置。
【請求項１３】
前記少なくとも1つのプロセッサが、時間期間にわたってスループットを最大にするために前記アンテナを再割当てするように構成される、請求項11に記載のワイヤレス通信装置。
【請求項１４】
前記少なくとも1つのプロセッサが、前記消費電力制約が高い現在のバッテリーレベルを示すことに応じて、時間期間にわたってスループットを最大にするために前記アンテナを再割当てするように構成される、請求項13に記載のワイヤレス通信装置。
【請求項１５】
前記少なくとも1つのプロセッサが、消費電力を最小にするために前記アンテナを再割当てするように構成される、請求項11に記載のワイヤレス通信装置。
【請求項１６】
前記少なくとも1つのプロセッサが、前記消費電力制約が低い現在のバッテリーレベルを示すことに応じて、消費電力を最小にするために前記アンテナを再割当てするように構成される、請求項15に記載のワイヤレス通信装置。
【請求項１７】
アクセス端末にサービスを提供するアクセスポイントが、大セル基地局であるか、小セル基地局であるかを決定するためのコードと、
前記アクセス端末が大セル基地局であるか、小セル基地局であるかに少なくとも部分的に基づいて前記アクセス端末に対する電力管理アクションを決定するためのコードと、
前記電力管理アクションを前記アクセス端末に適用するためのコードと
を含む、コンピュータプログラム。
【請求項１８】
前記電力管理アクションを適用するための前記コードが、電力増幅器(PA)、自動利得コントローラ(AGC)、アナログデジタル変換器(ADC)、またはデジタルアナログ変換器(DAC)に、決定された設定を適用するためのコードを含む、請求項17に記載のコンピュータプログラム。
【請求項１９】
前記電力管理アクションを実行するための前記コードが、前記アクセスポイントが大セル基地局であると決定することに応じて、前記アクセス端末を、より低い電力増幅器能力のアンテナからより高い電力増幅器能力のアンテナを使用することに切り替えるためのコードを含む、請求項17に記載のコンピュータプログラム。
【請求項２０】
前記電力管理アクションを実行するための前記コードが、前記アクセスポイントが小セル基地局であると決定することに応じて、前記アクセス端末を、より高い電力増幅器能力のアンテナからより低い電力増幅器能力のアンテナを使用することに切り替えるためのコードを含む、請求項17に記載のコンピュータプログラム。
【発明の詳細な説明】
【技術分野】
【０００１】
本出願は、ワイヤレス通信システムを対象とし、より詳細には、チャネル状態および消費電力に基づいてリソース使用を最適化するための方法および装置を対象とする。
【背景技術】
【０００２】
ワイヤレスネットワークは、定義された地理的エリアに配備されて、その地理的エリア内のユーザに様々なタイプのサービス(たとえば、音声、データ、マルチメディアサービスなど)を提供することができる。ワイヤレス通信ネットワークは、いくつかのユーザ機器(UE)のための通信をサポートすることができるいくつかの基地局を含むことができる。UEは、ダウンリンクおよびアップリンクを介して基地局と通信することができる。
【０００３】
セルラー技術を進歩させた、第3世代パートナーシッププロジェクト(3GPP)ロングタームエボリューション(LTE)は、モバイル通信用グローバルシステム(GSM(登録商標):Global System for Mobile Communications)およびユニバーサルモバイル電気通信システムシステム(UMTS)を発展させたものである。LTE物理レイヤ(PHY)は、発展型NodeB(eNB)などの基地局とUEなどのモバイルエンティティとの間でデータと制御情報の両方を搬送する非常に効率的な方法を提供する。従来の適用例では、マルチメディアのための高帯域幅通信を容易にするための方法は、単一周波数ネットワーク(SFN)動作であった。SFNは、たとえば、eNBなどの無線送信機を利用して、加入者UEと通信する。
【０００４】
いくつかのモバイルデバイスは、2つ以上の無線アクセス技術(RAT)に準拠している。たとえば、モバイルデバイスが、Wi-Fi基地局を介して2つのアンテナを使用してローカルエリアネットワーク(LAN)に接続されると同時に、LTE基地局を介して2つの異なるアンテナを使用してワイドエリアネットワーク(WAN)に接続される場合がある。状況によっては、モバイルデバイスが第2のRATよりも第1のRATでより良好な接続を体験する可能性がある。
【０００５】
フェムトセルは、家庭またはビジネスにおいて動作することが多い、小さな、低電力の基地局である。たとえば、マクロ基地局によってサービスを受けるモバイルデバイスのユーザが、ユーザの家庭のフェムトセルの近傍にいるとき、フェムトセルによるサービスに切り替えることができる。状況によっては、フェムトセルによってサービスを受けるモバイルデバイスは、フェムトセルとモバイルデバイスとの間の送信距離がより短いために、高い信号対雑音比(SINR)およびより信頼できる通信を享受することが多い。
【０００６】
携帯電話などのモバイルデバイスは、内部バッテリーによって電力供給されることが多い。したがって、バッテリー容量および消費電力が、モバイルデバイスの稼働能力(operational capacity)における主な制限事項である。バッテリー寿命を伸ばすための既存の技法は、モバイルデバイスのマイクロプロセッサの内部フロックサイクリングを減らすことと、モバイルデバイスが所定の時間期間の間非アクティブである場合、スリープモードに入ることと、より効率の良い電力増幅器を使用することとを含む。モバイルデバイスは、サービング基地局と通信するための送信および受信アンテナを稼働させる1つまたは複数の電力チェーンを含むことができる。そのようなアンテナを稼働させる電力チェーンは、かなりの量の電力を消費する。これに関連して、データスループットを向上させる、または消費電力を減少させるためにリソース使用を最適化するための改善された技法の必要が依然としてある。
【発明の概要】
【課題を解決するための手段】
【０００７】
以下で、そのような例の基本的理解を与えるために、1つまたは複数の例の簡略化された概要を提示する。この概要は、すべての考察された例の包括的な概要ではなく、すべての例の主要な要素または重要な要素を識別するものではなく、いずれかの例またはすべての例の範囲を定めるものでもない。その唯一の目的は、後に提示されるより詳細な説明の導入として、1つまたは複数の例のいくつかの概念を簡略化された形で提示することである。
【０００８】
本明細書で説明する例の1つまたは複数の態様によれば、チャネル状態および消費電力に基づいてリソース使用を最適化するためのシステムおよび方法が提供される。一例では、ネットワークエンティティが、ネットワークエンティティによって使用される第1の無線アクセス技術(RAT)の第1のチャネル状態を検出し、ネットワークエンティティによって使用される第2のRATの第2のチャネル状態を検出することがある。ネットワークエンティティは、第1のチャネル状態は第2のチャネル状態よりも高い干渉レベルを含むかどうかを決定し、また消費電力制約を決定してもよい。ネットワークエンティティは、第1のチャネル状態が第2のチャネル状態よりも高い干渉レベルを含むと決定することに応じて、消費電力制約に少なくとも部分的に基づいて、少なくとも1つのアンテナを第1のRATから第2のRATへ再割当てしてよい。
【０００９】
第2の例では、ネットワークエンティティが、アクセス端末にサービスを提供するアクセスポイントが、大セル基地局であるか、小セル基地局であるかを決定する。ネットワークエンティティは、決定に少なくとも部分的に基づいて、アクセス端末に対する電力管理アクションを決定し、電力管理アクションをアクセス端末に適用する。
【００１０】
本開示のこれらおよび他の例示的な態様について、後に続く詳細な説明および添付の請求項に、ならびに添付の図面に記載する。
【図面の簡単な説明】
【００１１】
【図１Ａ】例示的なワイヤレス通信ネットワークを示す図である。
【図１Ｂ】チャネル状態および消費電力に基づいてリソース使用を最適化するための通信システムの一例を示すブロック図である。
【図１Ｃ】チャネル状態および消費電力に基づいてリソース使用を最適化するための第2の通信システムの一例を示すブロック図である。
【図２】通信システム構成要素の一例を示すブロック図である。
【図３】チャネル状態および消費電力に基づいてリソース使用を最適化するための方法の一例を示す図である。
【図４】図3の方法による、リソース使用を最適化するための装置の一例を示す図である。
【図５】チャネル状態および消費電力に基づいてリソース使用を最適化するための方法の一例を示す図である。
【図６】図5の方法による、リソース使用を最適化するための装置の一例を示す図である。
【発明を実施するための形態】
【００１２】
チャネル状態および消費電力に基づいてリソース使用を最適化するための技法について本明細書で説明する。本開示は、サービスを向上させるおよびモバイルデバイスのバッテリー寿命を増やすための技法を提供する。ワイヤレスネットワークエンティティ間の通信に対して、この技法は、チャネル状態および消費電力に基づいて、データレート(もしくはスループット)を増やす、または消費電力を減らすために、リソース使用を最適化する。モバイルデバイス(たとえば、ユーザ機器(UE)、アクセス端末など)が、2つ以上の異なる無線アクセス技術(RAT)に同時にアクセスする場合があるが、1つの特定のRATでより良好な接続を体験している状況もある。リソースは、データスループットをより大きくするためにより良好な接続を有するRATに集中するように割り当てられてよい。リソースはさらに、サービング基地局が小セル基地局であるか、大セル基地局であるかの決定に基づいて最適化されてよい。
【００１３】
本開示では、「例示的」という言葉は、例、事例、または例示の働きをすることを意味するために使用される。「例示的」として本明細書で説明するいかなる態様または設計も、必ずしも他の態様または設計よりも好ましいまたは有利なものと解釈されるべきではない。むしろ、例示的という単語の使用は、概念を具体的な形で提示するものである。
【００１４】
ワイヤレスワイドエリアネットワーク(WWAN)およびワイヤレスローカルエリアネットワーク(WLAN)など、様々なワイヤレス通信ネットワークのための技法が使用され場合がある。「ネットワーク」および「システム」という用語は、しばしば互換的に使用される。WWANは、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)および/または他のネットワークであってもよい。CDMAネットワークは、汎用地上波無線アクセス(UTRA:Universal Terrestrial Radio Access)、cdma2000などの無線技術を実装することができる。UTRAは、広帯域CDMA(WCDMA(登録商標))およびCDMAの他の変形を含む。cdma2000は、IS-2000、IS-95およびIS-856の規格をカバーする。TDMAネットワークは、モバイル通信用グローバルシステム(GSM(登録商標))などの無線技術を実装することができる。OFDMAネットワークは、Evolved UTRA(E-UTRA)、Ultra Mobile Broadband(UMB)、IEEE802.16(WiMAX)、IEEE802.20、Flash-OFDM(登録商標)などの無線技術を実装することができる。UTRAおよびE-UTRAは、ユニバーサルモバイル通信システム(UMTS)の一部である。3GPP Long Term Evolution(LTE)およびLTE-Advanced(LTE-A)は、ダウンリンク上ではOFDMAを採用し、アップリンク上ではSC-FDMAを採用するE-UTRAを使用するUMTSの新リリースである。UTRA、E-UTRA、UMTS、LTE、LTE-AおよびGSM(登録商標)は、「第3世代パートナーシッププロジェクト(3rd Generation Partnership Project)」(3GPP)という名称の組織からの文書に記載されている。cdma2000およびUMBは、「第3世代パートナーシッププロジェクト2(3rd Generation Partnership Project 2)」(3GPP2)という名称の組織からの文書に記載されている。WLANは、たとえばIEEE 802.11(Wi-Fi)、Hiperlanなどの無線技術を実装することがある。
【００１５】
本明細書で使用される場合、ダウンリンク(または順方向リンク)は、基地局からUEへの通信リンクを指し、アップリンク(または逆方向リンク)は、UEから基地局への通信リンクを指す。基地局は、マクロセルもしくはマイクロセルであってよい、または、マクロセルもしくはマイクロセルを含んでもよい。マイクロセル(たとえば、ピコセル、フェムトセル、ホームノードB、小さいセル、および小さいセル基地局)は、マクロセルよりもずっと低い送信電力を一般に有することによって特徴付けられ、中央計画なしにしばしば配備されることがある。対照的に、マクロセルは、一般的に、計画されたネットワークインフラストラクチャの一部として固定された場所に設置され、相対的に大きいエリアをカバーする。
【００１６】
本明細書で説明される技法は、上記のワイヤレスネットワークおよび無線技術、ならびに他のワイヤレスネットワークおよび無線技術に用いられてもよい。明快のために、本技法のいくつかの態様について以下では3GPPネットワークおよびWLANに関して説明し、以下の説明の大部分でLTEおよびWLAN用語を使用する。
【００１７】
図1Aは例示的なワイヤレス通信ネットワーク10を示す図であり、これはLTEネットワークまたは何らかの他のワイヤレスネットワークであってよい。ワイヤレスネットワーク10は、いくつかの発展型ノードB(eNB)30と他のネットワークエンティティとを含むことができる。eNBは、モバイルエンティティと通信するエンティティであってよく、基地局、ノードB、アクセスポイントなどと呼ばれることもある。eNBは一般的に基地局よりも多くの機能を有しているが、本明細書では「eNB」および「基地局」という用語が互換的に使用されている。各eNB30は、特定の地理的エリアのための通信カバレージを提供することができ、カバーエリア内に位置するモバイルエンティティのための通信をサポートすることができる。ネットワーク容量を向上させるために、eNBの全体的なカバレージエリアは、複数の(たとえば3つの)より小さいエリアに区分されることがある。より小さい各エリアは、それぞれのeNBサブシステムによってサービスされてよい。3GPPでは、「セル」という用語は、この用語が使用される状況に応じて、eNBの最小のカバレージエリアおよび/またはこのカバレージエリアにサービスしているeNBサブシステムを指すことがある。
【００１８】
eNBは、マクロセル、ピコセル、フェムトセル、および/または他のタイプのセルに通信カバレージを提供することができる。マクロセルは、比較的大きい地理的エリア(たとえば、半径数キロメートル)をカバーすることができ、サービスに加入しているUEによる無制限のアクセスを可能にすることができる。ピコセルは、比較的小さい地理的エリアをカバーすることができ、サービスに加入しているUEによる無制限アクセスを可能にすることができる。フェムトセルは、比較的小さい地理的エリア(たとえば、家庭)をカバーすることができ、フェムトセルとの関連を有するUE(たとえば、限定加入者グループ(CSG)の中のUE)による限定アクセスを可能にすることができる。図1Aに示す例では、eNB30a、30bおよび30cは、それぞれマクロセルグループ20a、20bおよび20cのマクロeNBであってよい。セルグループ20a、20bおよび20cの各々は、複数(たとえば、3つ)のセルまたはセクターを含むことができる。eNB30dは、ピコセル20dのピコeNBであってよい。eNB30eは、フェムトセル20eのためのフェムトeNB、フェムトセル基地局、またはフェムトアクセスポイント(FAP)であってよい。
【００１９】
ワイヤレスネットワーク10は、中継器も含むことができる(図1Aには図示せず)。中継器は、上流局(たとえば、eNBまたはUE)からのデータの伝送を受信し、下流局(たとえば、UEまたはeNB)へのデータの伝送を送ることができるエンティティであってよい。中継器は、他のUE向けの伝送を中継することができるUEであってもよい。
【００２０】
ネットワークコントローラ50は、eNBのセットに結合することができ、これらのeNBの協調および制御を行うことができる。ネットワークコントローラ50は、単一のネットワークエンティティまたはネットワークエンティティの集合であってよい。ネットワークコントローラ50はバックホールを介してeNBと通信することができる。eNBは、たとえば、ワイヤレスバックホールまたはワイヤラインバックホールを介して直接または間接的に互いに通信することもできる。
【００２１】
UE40はワイヤレスネットワーク10全体にわたって分散されてよく、各UEは静止しているまたは移動していてよい。UEは、移動局、端末、アクセス端末、加入者ユニット、局などと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、スマートフォン、ネットブック、スマートブックなどであってよい。UEは、eNB、中継器などと通信することが可能であってよい。UEはまた、他のUEとピアツーピア(P2P)で通信することが可能であってよい。
【００２２】
ワイヤレスネットワーク10は、シングルキャリアまたはダウンリンク(DL)およびアップリンク(UL)の各々のためのマルチキャリアにおける動作をサポートすることができる。キャリアは、通信のために使用される周波数の範囲を指すことがあり、いくつかの特徴と関連付けられることがある。マルチキャリア上での動作は、マルチキャリア動作またはキャリアアグリゲーションと呼ばれることもある。UEは、eNBとの通信のために、DL(またはDLキャリア)のための1つまたは複数のキャリア、およびUL(またはULキャリア)のための1つまたは複数のキャリア上で動作することができる。eNBは、1つまたは複数のDLキャリア上でデータおよび制御情報をUEに送ることができる。UEは、1つまたは複数のULキャリア上でデータおよび制御情報をeNBに送ることができる。1つの設計では、DLキャリアは、ULキャリアと対にされてよい。この設計では、所与のDLキャリア上のデータ送信をサポートするための制御情報は、そのDLキャリアおよび関連のULキャリア上で送られてよい。同様に、所与のULキャリア上のデータ送信をサポートするための制御情報は、そのULキャリアおよび関連のDLキャリア上で送られてよい。別の設計では、クロスキャリア制御がサポートされてよい。この設計では、所与のDLキャリア上のデータ送信をサポートするための制御情報は、DLキャリアの代わりに、別のDLキャリア(たとえば、ベースキャリア)上で送られてよい。
【００２３】
キャリアアグリゲーションは、複数のキャリアにわたる無線リソースの併用を介してユーザ端末に配信される有効な帯域幅の拡大を可能にする。キャリアがアグリゲートされるとき、各キャリアは、コンポーネントキャリアと呼ばれる。複数のコンポーネントキャリアは、より大きい全送信帯域幅を形成するためにアグリゲートされる。2つ以上のコンポーネントキャリアは、より広い送信帯域幅をサポートするためにアグリゲートされてよい。
【００２４】
ワイヤレスネットワーク10は、所与のキャリアのためのキャリア拡大をサポートすることができる。キャリア拡大のために、キャリア上で異なるUEに対して、異なるシステム帯域幅がサポートされてよい。たとえば、ワイヤレスネットワークは、(i)第1のUE(たとえば、LTE Release 8もしくは9または何らかの他のリリースをサポートするUE)に対して、DLキャリア上で第1のシステム帯域幅をサポートし、(ii)第2のUE(たとえば、より新しいLTEリリースをサポートするUE)に対して、DLキャリア上で第2のシステム帯域幅をサポートすることができる。第2のシステム帯域幅は、第1のシステム帯域幅に完全にまたは部分的に重なることがある。たとえば、第2のシステム帯域幅は、第1のシステム帯域幅、および第1のシステム帯域幅の一端または両端に追加の帯域幅を含むことがある。追加のシステム帯域幅は、第2のUEにデータおよび場合によっては制御情報を送るために使用されてよい。
【００２５】
ワイヤレスネットワーク10は、単入力単出力(SISO)、単入力多出力(SIMO)、多入力単出力(MISO)、またはMIMOを介してデータ送信をサポートすることができる。MIMOでは、送信機(たとえばeNB)は、複数の送信アンテナから受信機(たとえばUE)の複数の受信アンテナにデータを送信することができる。MIMOは、(たとえば、異なるアンテナから同じデータを送信することによって)信頼性を向上させる、および/または(たとえば、異なるアンテナから異なるデータを送信することによって)スループットを向上させるために使用されてよい。
【００２６】
ワイヤレスネットワーク10は、シングルユーザ(SU)MIMO、マルチユーザ(MU)MIMO、多地点協調(CoMP)などをサポートすることができる。SU-MIMOでは、セルは、プリコーディングの有無にかかわらず所与の時間周波数リソース上で複数のデータストリームを単一のUEに送信することができる。MU-MIMOでは、セルは、プリコーディングの有無にかかわらず同じ時間周波数リソース上で複数のデータストリームを複数のUEに(たとえば、各UEに対して1つのデータストリーム)送信することができる。CoMPは、協働送信および/または共同処理を含むことができる。協働送信では、複数のセルは、データ送信が意図されたUEの方に向けられる、および/または1つまたは複数の被干渉のUEから離れるように、所与の時間/周波数リソース上で、1つまたは複数のデータストリームを単一のUEに送信することができる。共同処理では、複数のセルは、プリコーディングの有無にかかわらず同じ時間周波数リソース上で複数のUEに複数のデータストリームを(たとえば、各UEに1つのデータストリームを)送信することができる。
【００２７】
ワイヤレスネットワーク10は、データ送信の信頼性を向上させるために、ハイブリッド自動再送信(HARQ)をサポートすることができる。HARQでは、送信機(たとえばeNB)は、データパケット(またはトランスポートブロック)の送信を送ることができ、必要に応じて、パケットが受信機(たとえばUE)によって正しく復号化されるまで、または最大数の送信が送られるまで、または何らかの他の終了状態に遭遇するまで、1つまたは複数の追加の送信を送ることができる。送信機は、このように、パケットの可変数の送信を送ることができる。
【００２８】
ワイヤレスネットワーク10は、同期動作または非同期動作をサポートすることができる。同期動作の場合、eNBは同様のフレームタイミングを有することができ、異なるeNBからの送信を、時間的に概ね合わせることができる。非同期動作の場合、eNBは異なるフレームタイミングを有することができ、異なるeNBからの送信は、時間的に合わせられなくてもよい。
【００２９】
ワイヤレスネットワーク10は、周波数分割複信(FDD)または時分割複信(TDD)を利用することができる。FDDでは、DLおよびULは別々の周波数チャネルが割り振られてもよく、DL送信およびUL送信は、2つの周波数チャネル上で並行して送られてもよい。TDDでは、DLおよびULは同じ周波数チャネルを共有してもよく、DL送信およびUL送信は、異なる時間期間で同じ周波数チャネル上で送られてもよい。
【００３０】
図1Bは、ネットワークエンティティ(たとえば、アクセス端末110)と、1つまたは複数の他のネットワークエンティティ(たとえば、LTEアクセスポイント120およびWi-Fiアクセスポイント130)との間の例示的なワイヤレス通信シナリオを示す。例示のために、互いに通信する、1つまたは複数のアクセス端末、アクセスポイント、およびネットワークエンティティのコンテキストにおいて、本開示の様々な態様について説明する。しかしながら、本明細書の教示は、他の専門用語を使用して参照される、他のタイプの装置または他の同様の装置に適用可能である可能性があることを諒解されたい。たとえば、様々な例では、アクセスポイントは、基地局、ノードB、eノードB、フェムトセル、マクロセルなどと呼ばれる、またはそれらとして実装される場合があるが、アクセス端末は、ユーザ機器(UE)、移動局などと呼ばれる、またはそれらとして実装される場合がある。システム100、アクセス端末110、およびアクセスポイント120は、図1Bに示していない追加の構成要素を含むことができることもまた諒解されたい。
【００３１】
システム100におけるLTEアクセスポイント120またはWi-Fiアクセスポイント130は、1つまたは複数のワイヤレス端末(たとえば、アクセス端末、UE、モバイルエンティティ、モバイルデバイス)110に1つまたは複数のサービス(たとえば、ネットワーク接続)へのアクセスを提供することができる。たとえば、LTEアクセスポイントは、広域ネットワーク接続を容易にするために、1つまたは複数のネットワークエンティティ(図示せず)と通信することができる。そのようなネットワークエンティティは、たとえば、1つまたは複数の無線ネットワークエンティティおよび/またはコアネットワークエンティティなどの様々な形態をとることがある。
【００３２】
様々な例では、ネットワークエンティティは、(たとえば、運用、アドミニストレーション、管理、およびプロビジョニングのエンティティを介した)ネットワーク管理、呼制御、セッション管理、モビリティ管理、ゲートウェイ機能、インターワーキング機能、または何らかの他の適切なネットワーク機能を扱う役割を負う、またはさもなければそれらを扱うことに関係する場合がある。関係する態様では、モビリティ管理は、追跡エリア、位置エリア、ルーティングエリア、または何らかの他の適切な技法の使用を通してアクセス端末の現在位置を追跡するステップと、アクセス端末のページングを制御するステップと、アクセス端末にアクセス制御を提供するステップとに関係する、またはそれらを伴う場合がある。また、これらのネットワークエンティティのうちの2つ以上が同じ場所に配置される場合がある、および/またはそのようなネットワークエンティティのうちの2つ以上がネットワーク全体に分散される場合がある。
【００３３】
アクセス端末110は、複数のRATによる通信をサポートすることができる。アクセス端末110は、2つ以上のRATによる同時接続をサポートすることができる。たとえば、アクセス端末110は、Bluetooth(登録商標)、Wi-Fi、およびLTE RATをサポートすることができる。本態様のアクセス端末110は、LTE RATによりLTEアクセスポイント120に、およびWi-Fi RATによりWi-Fiアクセスポイント130に、同時に接続されてよい。
【００３４】
アクセス端末110は、1つまたは複数のアンテナ1121〜112mを含むことができる。各アンテナ112が、送信(Tx)アンテナまたは受信(Rx)アンテナとして使用されてよい。例示的な態様では、アクセス端末110は、4つのアンテナ112を含むことができる。アクセス端末110は、2つのアンテナ1121、1122を使用してLTE RATによりLTEアクセスポイント120に接続し、他の2つのアンテナ1123、1124を使用してWi-Fi RATによりWi-Fiアクセスポイント130に接続してよい。
【００３５】
アクセス端末110は、チャネル状態決定構成要素114を含むことができる。チャネル状態決定構成要素114は、アクセス端末110と、LTEアクセスポイント120およびWi-Fiアクセスポイント130などの他のネットワークエンティティとの間の通信チャネルのチャネル状態を決定することができる。チャネル状態決定構成要素は、アップリンクチャネル状態またはダウンリンクチャネル状態の少なくとも一方を決定することができる。たとえば、時分割複信システムでは、チャネル状態決定構成要素114は、アップリンクチャネル状態と、ダウンリンクチャネル状態とを決定することができる。別の例では、周波数分割複信システムでは、チャネル状態決定構成要素114は、ダウンリンクチャネル状態を決定し、アクセスポイントからのフィードバックを使用してアップリンクチャネル状態を決定することができる。
【００３６】
複数のRATを有するが、1つの特定のRATでより良好な接続を体験しているシステム(たとえば、システム100)においては、チャネル状態決定構成要素114は、異なるRATの信号品質を比較することによってリソース使用を最適化する助けとなることができる(すなわち、スループットを増大させる、消費電力を減少させる、またはその組合せ)。たとえば、チャネル状態決定構成要素114は、LTE RATによるLTEアクセスポイント120との通信について、第1のチャネル状態が、高い信号品質を有すると決定する場合がある(すなわち、たとえば、信号対雑音比[SNR]、ビット誤り率[BER]、否定応答[NAK]、または任意の他の適切な因子によって決定される)。さらに、チャネル状態決定構成要素114は、Wi-Fi RATによるWi-Fiアクセスポイント130との通信についての、第2のチャネル状態が、低い信号品質を有すると決定する場合がある。結果として、アクセス端末110は、信号品質差により、Wi-Fi RATよりもLTE RATを選ぶことができる。したがって、アクセス端末110がWi-Fi RATを通じて送られるデータの量を減少させる場合、Wi-Fi RATに割り当てられたアンテナ1123、1124は、あまり受信しない(receive less use)ことになる。
【００３７】
いくつかの実施形態では、アクセス端末110は、消費電力制約を決定することができる電力制約決定構成要素116を含むことができる。消費電力制約は、たとえば、現在のバッテリーレベル、アンテナ電力増幅器能力、またはそれらの任意の組合せなどの任意の適切な因子を含むことができる。たとえば、電力制約決定構成要素116は、第1のTxチェーンがより高い電力増幅器能力を有し、第2のTxチェーンがより低い電力増幅器能力を有すると決定する場合がある。
【００３８】
アクセス端末110は、アンテナコントローラ118を含むことができる。いくつかの実施形態では、アンテナコントローラ118は、アクセス端末110中の別の構成要素から、または別のネットワークエンティティから、アンテナ制御のための命令を受信する場合があると理解されたい。
【００３９】
アンテナコントローラ118は、現在どのアンテナが第1のRATによって使用されているか、および現在どのアンテナが第2のRATによって使用されているかを決定することができる。たとえば、アンテナコントローラ118は、LTE RATはアンテナ1121、1122を使用しており、Wi-Fi RATはアンテナ1123、1124を使用していると決定することができる。次いでアンテナコントローラ118は、チャネル状態の比較に基づいて、異なるRATによって使用されるようにアンテナを再割当てすることができる。アンテナのこの再割当ては、アクセス端末110のために総データレート(またはスループット)を著しく増加させることができる。
【００４０】
たとえば、第1のRATの第1のチャネル状態が第2のRATの第2のチャネル状態よりも良好である場合、アンテナコントローラ118は、現在第1のRATによって使用されているアンテナを、第2のRATによって使用されるように再割当てすることができる。たとえば図1Bに示すシステムについては、アンテナコントローラ118は、LTE RATのチャネルがWi-Fi RATのチャネルよりも良い信号品質を体験していると決定し、それに応じてWi-Fi RATからLTE RATへ、アンテナ1123、1124を再割当てすることを決定することができる。
【００４１】
アンテナの再割当てはさらに、消費電力制約に基づかれる場合がある。例示的な実装形態では、アンテナコントローラ118は、現在のバッテリーレベル(たとえば、エネルギーレベル)およびアンテナ電力増幅器能力に基づいていくつかのアンテナを再割当てすることができる。現在のバッテリーレベルが低い場合、アンテナコントローラ118は、アンテナによる消費電力を最小にするようにアンテナを再割当てすることができる。別の例では、現在のバッテリーレベルが高い場合、アンテナコントローラ118は、スループットを最大にするようにアンテナを再割当てすることができる。
【００４２】
いくつかの実施形態では、アクセス端末の1つまたは複数の構成要素は、サービングアクセスポイントが大セルであるか、小セルであるかに基づいて、リソース使用を最適化することができる。図1Cは、ネットワークエンティティ(たとえば、アクセス端末150)とアクセスポイント160との間の例示的なワイヤレス通信シナリオを示す。アクセスポイント160は、大セル(マクロセルもしくはマクロセル基地局としても知られる)または小セル(マイクロセルまたはマイクロセル基地局としても知られる)であってよい。マイクロセル(たとえば、ピコセル、フェムトセル、ホームノードB)は、一般的にマクロセルよりもはるかに低い送信電力を有することによって特徴付けられ、中央計画なしに配備される場合が多い。対照的に、マクロセルは、一般に、計画されたネットワークインフラストラクチャの一部として固定された場所に設置され、相対的に大きなエリアをカバーする。マイクロセルは、マクロセルよりもはるかに短い距離においてアクセス端末にサービスを提供する場合が多い。マイクロセルとアクセス端末との間の距離がより短いことは、マクロセルよりも良好なチャネル状態(たとえば、SNR、BER、またはNAKによって測定される)をもたらすことができる。アクセス端末150は、図1Bのアクセス端末110と同じまたは同様であってよい。
【００４３】
図1Cに示すように、アクセス端末150は、セル特性決定構成要素154を含むことができる。しかしながら、セル特性決定構成要素154は別のネットワークエンティティに含まれる場合があることは、当業者には諒解されよう。セル特性決定構成要素154は、アクセスポイント160が大セルであるか、小セルであるかを決定することができる。たとえば、セル特性決定構成要素154は、アクセスポイント160が大セルであるか、小セルであるかを識別する助けとなる可能性のある情報を、無線でまたはバックホールネットワークを通じて、直接的または間接的に受信することができる。
【００４４】
アクセス端末150は、電力設定コントローラ156を含むことができる。電力設定コントローラ156は、アクセスポイント160が大セルであるか、小セルであるかに少なくとも部分的に基づいて、電力設定を決定すること(たとえば、電力増幅器[PA]、自動利得コントローラ[AGC]、アナログデジタル変換器[ADC]、デジタルアナログ変換器[DAC]セットポイント、任意の他の適切な構成要素、またはそれらの任意の組合せの設定を決定すること)ができる。たとえば、電力設定コントローラ156は、アクセスポイント160が小セルである場合、アクセス端末150と小セルアクセスポイント160との間のより良好なチャネル状態の想定により、電力消耗(power drain)を節約する電力設定を決定することができる。いくつかの実装形態では、電力設定コントローラ156は、PA、AGC、ADC、DAC、または任意の他の適切な構成要素を、決定された設定に調整することができる。
【００４５】
アクセス端末150は、1つまたは複数のアンテナ1521〜152mと、アンテナコントローラ158とを含むことができる。アンテナ1521〜152mの一部は、より多くの電力を消耗させる高い電力増幅器能力のアンテナ(high power amplifier capability antennas)である場合があり、別の部分は、より少ない電力を消耗させるより低い電力増幅器能力のアンテナ(lower power amplifier capability antennas)である場合がある。たとえば、小セルアクセスポイントとアクセス端末との間により短い距離およびより良好なチャネル状態が想定されるために、より低い電力増幅器能力のアンテナで十分である場合がある。より高い電力増幅器能力のアンテナからより低い電力増幅器能力のアンテナに切り替えると、バッテリー寿命を増やし、アクセス端末によって引き起こされる干渉を減少させることができる。対照的に、大セルアクセスポイントとアクセス端末との間により長い距離およびより悪いチャネル状態が想定されるために、より高い電力増幅器能力のアンテナが必要とされる場合がある。
【００４６】
したがって、図1Cに示すシステムについては、アクセスポイント160が小セルであると決定される場合、アンテナコントローラ158は、小セルアクセスポイント160との通信に対してより高い電力増幅器能力のアンテナからより低い電力増幅器能力のアンテナを使用することに切り替えることを決定することができる。一方、アクセスポイント160が大セルであると決定される場合、アンテナコントローラ158は、大セルアクセスポイント160との通信に対してより低い電力増幅器能力のアンテナからより高い電力増幅器能力のアンテナを使用することに切り替えることを決定することができる。
【００４７】
図2は、LTE MIMOシステム200における送信機システム210(アクセスポイント、基地局、またはeNBとしても知られている)および受信機システム250(アクセス端末、モバイルデバイス、またはUEとしても知られている)を含むシステム200を示す。本開示では、送信機システム210は、WS対応eNBなどに対応することがあるが、受信機システム250は、WS対応UEなどに対応することがある。
【００４８】
送信機システム210において、いくつかのデータストリームのトラフィックデータが、データソース212から送信(TX)データプロセッサ214に提供される。各データストリームは、それぞれの送信アンテナを通じて送信される。Txデータプロセッサ214は、各データストリームのトラフィックデータを、そのデータストリームに選択された特定のコーディング方式に基づいて、フォーマットし、コーディングし、インターリーブして、コーディングされたデータを提供する。
【００４９】
各データストリームの符号化されたデータは、OFDM技法を使用してパイロットデータと多重化することができる。パイロットデータは、典型的には、既知の方法で処理される既知のデータパターンであり、チャネル応答を推定するために、受信機システムで使用することができる。その後、多重化されたパイロットおよび各データストリームの符号化されたデータは、変調シンボルを与えるためにそのデータストリームに対して選択された特定の変調方式(たとえば、BPSK、QSPK、M-PSK、またはM-QAM)に基づいて変調される(すなわち、シンボルマッピングされる)。各データストリームのデータレート、コーディング、および変調は、プロセッサ230によって実行される命令によって決定されてよい。
【００５０】
次いで、すべてのデータストリームの変調シンボルは、Tx MIMOプロセッサ220に提供され、Tx MIMOプロセッサ220は、さらに、(たとえば、OFDMのために)その変調シンボルを処理することができる。次いで、Tx MIMOプロセッサ220は、NT個の変調シンボルストリームをNT個の送信機(TMTR)222a〜222tに提供する。いくつかの例では、Tx MIMOプロセッサ220は、データストリームのシンボルと、そのシンボルがそこから送信されているアンテナとに、ビームフォーミング重みを適用する。
【００５１】
各送信機222は、それぞれのシンボルストリームを受信および処理して、1つまたは複数のアナログ信号を供給し、さらにアナログ信号を調整(たとえば、増幅、フィルタリング、およびアップコンバート)して、MIMOチャネルを介した送信に適した変調信号を供給する。送信機222a〜222tからのNT個の変調信号は、次いで、それぞれ、NT本のアンテナ224a〜224tから送信される。
【００５２】
受信機システム250において、送信された変調信号は、NR個のアンテナ252a〜252rによって受信され、各アンテナ252から受信された信号は、それぞれの受信機(RCVR)254a〜254rに提供される。各受信機254は、それぞれの受信信号を調整(たとえば、フィルタリング、増幅、およびダウンコンバート)し、調整された信号をデジタル化してサンプルを提供し、さらにそのサンプルを処理して対応する「受信」シンボルストリームを与える。
【００５３】
次いで、Rxデータプロセッサ260が、NR個の受信機254からNR個の受信シンボルストリームを受信し、特定の受信機処理技法に基づいて処理して、NT個の「被検出」シンボルストリームを与える。次いで、Rxデータプロセッサ260は、検出された各シンボルストリームを復調し、デインターリーブし、復号して、データストリームのトラフィックデータを回復する。Rxデータプロセッサ260による処理は、送信機システム210におけるTx MIMOプロセッサ220およびTxデータプロセッサ214によって実行される処理を補足するものである。
【００５４】
プロセッサ270は、どのプリコーディング行列を使用すべきかを定期的に決定する(後述する)。プロセッサ270は、行列インデックス部とランク値部とを備える逆方向リンクメッセージを作成する。逆方向リンクメッセージは、通信リンクおよび/または受信されたデータストリームに関する様々なタイプの情報を含むことができる。次いで、逆方向リンクメッセージは、データソース236からいくつかのデータストリームのトラフィックデータも受信するTxデータプロセッサ238によって処理され、変調器280によって変調され、送信機254a〜254rによって調整され、送信機システム210に送り返される。
【００５５】
送信機システム210において、受信機システム250からの被変調信号は、アンテナ224によって受信され、受信機222によって調整され、復調器240によって復調され、Rxデータプロセッサ242によって処理されて、受信機システム250によって送信された逆方向リンクメッセージを抽出する。プロセッサ230は、次いで、ビームフォーミング重みを決定するためにどのプリコーディング行列を使用すべきかを決定し、次いで、抽出されたメッセージを処理する。
【００５６】
本明細書で使用される場合、アクセスポイントは、NodeB、eNodeB、無線ネットワークコントローラ(RNC)、基地局(BS)、無線基地局(RBS)、基地局コントローラ(BSC)、トランシーバ基地局(BTS)、トランシーバ機能(TF)、無線トランシーバ、無線アクセスポイント、基本サービスセット(BSS)、拡張サービスセット(ESS)、マクロセル、マクロノード、ホームeNB(HeNB)、フェムトセル、フェムトノード、ピコノード、または何らかの他の同様の用語を含む、それらのいずれかとして実装される、またはそれらのいずれかとして知られることがある。
【００５７】
本明細書で説明する例の1つまたは複数の態様により、図3を参照すると、チャネル状態および消費電力に基づいてリソース使用を最適化するための方法300が示されている。本方法は、たとえば、図1Bに示す、アクセス端末110などによって、動作可能であってよい。
【００５８】
方法300は、310において、ネットワークエンティティによって使用される第1のRAT(たとえば、図1Bのアクセス端末110)の第1のチャネル状態を検出するステップを含むことができる。第1のRATは、図1Bに示すように、LTEアクセスポイント120によって使用されるLTE RATであってよい。関係する態様では、チャネル状態決定構成要素114は、図1Bに示すように、LTE RATの第1のチャネル状態を検出することができる。
【００５９】
方法300は、320において、ネットワークエンティティによって使用される第2のRATの第2のチャネル状態を検出するステップを含むことができる。例示的な実装形態では、第2のRATは、図1Bに示すように、Wi-Fiアクセスポイント130によって使用されるWi-Fi RATである。関係する態様では、チャネル状態決定構成要素114は、図1Bに示すように、Wi-Fi RATの第2のチャネル状態を検出することができる。
【００６０】
方法300は、330において、第1のチャネル状態が、第2のチャネル状態よりも高い干渉レベルを含むかどうかを決定するステップを含むことができる。例示的な態様では、チャネル状態決定構成要素114は、図1Bに示すように、第1のチャネル状態を第2のチャネル状態と比較することができる。
【００６１】
方法300は、340において、消費電力制約を決定するステップを含むことができる。例示的な実装形態では、電力制約決定構成要素116が、現在のバッテリーレベルまたはアンテナ112の電力増幅器能力を決定することができる。
【００６２】
方法300は、350において、第1のチャネル状態が第2のチャネル状態よりも高い干渉レベルを含むと決定することに応じて、消費電力制約に少なくとも部分的に基づいて、少なくとも1つのアンテナを第1のRATから第2のRATへ再割当てするステップを含むことができる。例示的な実装形態では、アンテナコントローラ118は、図1Bに示すように、現在LTE RATによって使用されているいくつかのアンテナ112を、Wi-Fi RATによって使用されるように再割当てすることができる。
【００６３】
本明細書で説明する例の1つまたは複数の態様により、図4は、図3の方法による、チャネル状態および消費電力に基づいてリソース使用を最適化するための装置の一例を示す。例示的な装置400は、コンピューティングデバイスとして、またはプロセッサもしくは内部で使用される同様のデバイス/構成要素として構成されてよい。一例では、装置400は、プロセッサ、ソフトウェア、またはその組合せ(たとえばファームウェア)によって実施される機能を表すことができる機能ブロックを含んでよい。別の例では、装置400は、システムオンチップ(SoC)または同様の集積回路(IC)であってよい。
【００６４】
一例では、装置400が、ネットワークエンティティによって使用される第1の無線アクセス技術(RAT)の第1のチャネル状態を検出するための電気構成要素またはモジュール410を含むことができる。
【００６５】
装置400は、ネットワークエンティティによって使用される第2のRATの第2のチャネル状態を検出するための電気構成要素420を含むことができる。
【００６６】
装置400は、第1のチャネル状態が、第2のチャネル状態よりも高い干渉レベルを含むかどうかを決定するための電気構成要素430を含むことができる。
【００６７】
装置400は、消費電力制約を決定するための電気構成要素440を含むことができる。
【００６８】
装置400は、第1のチャネル状態が第2のチャネル状態よりも高い干渉レベルを含むと決定することに応じて、消費電力制約に少なくとも部分的に基づいて、少なくとも1つのアンテナを第1のRATから第2のRATへ再割当てするための電気構成要素450を含むことができる。
【００６９】
さらなる関連する態様では、装置400は、場合によっては、プロセッサ構成要素402を含んでよい。プロセッサ402は、バス401または同様の通信結合を介して構成要素410〜450と動作可能に通信していてもよい。プロセッサ402は、電気構成要素410〜450によって実行されるプロセスまたは機能の開始およびスケジューリングをもたらすことができる。
【００７０】
またさらなる関係する態様では、装置400は無線トランシーバ構成要素403を含んでよい。トランシーバ403の代わりにまたはトランシーバ403とともにスタンドアロン受信機および/またはスタンドアロン送信機が使用されてよい。装置400は、1つまたは複数の他の通信デバイスなどに接続するためのネットワークインターフェース405を含んでもよい。装置400は場合によっては、たとえば、メモリデバイス/構成要素404などの情報を記憶するための構成要素を含んでよい。コンピュータ可読媒体またはメモリ構成要素404はバス401などを介して装置400の他の構成要素に動作可能に結合されてよい。メモリ構成要素404は、構成要素410〜450、およびその副構成要素、またはプロセッサ402、あるいは本明細書で開示する方法のプロセスおよび動作に影響を及ぼすためのコンピュータ可読命令およびデータを記憶するように適合されてよい。メモリ構成要素404は、構成要素410〜450に関連する機能を実行するための命令を保持することができる。メモリ404の外部にあるものとして示されているが、構成要素410〜450はメモリ404内に存在できることは理解されたい。図4中の構成要素は、プロセッサ、電子デバイス、ハードウェアデバイス、電子副構成要素、論理回路、メモリ、ソフトウェアコード、ファームウェアコードなど、またはそれらの任意の組合せを含む場合があることにさらに留意されたい。装置400の各構成要素の機能は、本システムの任意の適切な構成要素内で実装するまたは任意の適切な形で組み合わせることができることが、当業者には理解されよう。
【００７１】
本明細書で説明する例の1つまたは複数の態様により、図5を参照すると、チャネル状態および消費電力に基づいてリソース使用を最適化するための方法500が示されている。本方法は、たとえば、図1Cに示す、アクセス端末150などによって、動作可能であってよい。
【００７２】
方法500は、510において、アクセス端末にサービスを提供するアクセスポイントが、大セル基地局であるか、小セル基地局であるかを決定するステップを含むことができる。例示的な実装形態では、アクセス端末150のセル特性決定構成要素154は、図1Cに示すように、アクセスポイント160が大セルであるか、小セルであるか決定することができる。
【００７３】
方法500は、520において、アクセス端末が大セル基地局であるか、小セル基地局であるかに少なくとも部分的に基づいてアクセス端末に対する電力管理アクションを決定するステップを含むことができる。例示的な実装形態では、アクセス端末150は、図1Cに示すように、電力設定コントローラ156またはアンテナコントローラ158によって実施される電力管理アクションを決定することができる。
【００７４】
方法500は、530において、アクセス端末に電力管理アクションを適用するステップを含むことができる。電力設定コントローラ156またはアンテナコントローラ158は、図1Cに示すように、決定された電力管理アクションに従って設定を調整することができる。
【００７５】
本明細書で説明する例の1つまたは複数の態様により、図6は、図5の方法による、チャネル状態および消費電力に基づいてリソース使用を最適化するための装置の一例を示す。
【００７６】
一例では、装置600は、アクセスポイントが大セル基地局であるか、小セル基地局であるかに少なくとも部分的に基づいてアクセス端末に対する電力管理アクションを実行するための電気構成要素またはモジュール610を含むことができる。
【００７７】
装置600は、アクセス端末が大セル基地局であるか、小セル基地局であるかに少なくとも部分的に基づいてアクセス端末に対する電力管理アクションを決定するための電気構成要素620を含むことができる。
【００７８】
装置600は、アクセス端末に電力管理アクションを適用するための電気構成要素630を含むことができる。
【００７９】
簡潔さを目的として、装置600に関する残りの詳細はさらに詳述されないが、装置600の残りの特徴および態様は、図4の装置400に関して前述されたものと実質的に同様であることを理解されたい。装置600の各構成要素の機能は、本システムの任意の適切な構成要素内で実装するまたは任意の適切な形で組み合わせることができることが、当業者には理解されよう。
【００８０】
本明細書の開示に関連して説明される様々な例示的な論理ブロック、モジュール、および回路は、本明細書で説明される機能を実行するように設計された汎用プロセッサ、デジタル信号プロセッサ(DSP)、特定用途向け集積回路(ASIC)、フィールドプログラマブルゲートアレイ(FPGA)もしくは他のプログラマブル論理デバイス、個別のゲートもしくはトランジスタロジック、個別のハードウェア構成要素、またはそれらの任意の組合せとともに、実装または実行されてよい。汎用プロセッサは、マイクロプロセッサとすることができるが、代替的にプロセッサは、任意の従来のプロセッサ、コントローラ、マイクロコントローラ、または状態機械とすることができる。プロセッサは、コンピューティングデバイスの組合せ、たとえばDSPとマイクロプロセッサの組合せ、複数のマイクロプロセッサ、DSPコアと連結した1つもしくは複数のマイクロプロセッサ、または任意の他のそのような構成として実現することもできる。
【００８１】
本明細書の開示に関して記載された方法またはアルゴリズムの動作は、直接ハードウェアにおいて、プロセッサによって実行されるソフトウェアモジュールにおいて、またはその2つの組合せにおいて実施されてよい。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体の中に存在する場合がある。例示的な記憶媒体は、プロセッサが記憶媒体から情報を読み取り、記憶媒体に情報を書き込むことができるように、プロセッサに結合される。代替として、記憶媒体はプロセッサに一体化されてもよい。プロセッサおよび記憶媒体は、ASICに存在してもよい。ASICは、ユーザ端末内に存在してもよい。代替として、プロセッサおよび記憶媒体は、ユーザ端末の中に個別構成要素として存在してもよい。
【００８２】
1つまたは複数の例示的な設計では、説明される機能は、ハードウェア、ソフトウェア、ファームウェア、またはそれらの任意の組合せで実現される場合がある。ソフトウェアにおいて実装される場合、それらの機能は、非一時的コンピュータ可読媒体上の1つまたは複数の命令またはコードとして記憶するまたは送信することができる。非一時的コンピュータ可読媒体は、ある場所から別の場所へのコンピュータプログラムの転送を円滑化する任意の媒体を含む、コンピュータ記憶媒体と通信媒体の両方を含む。記憶媒体は、汎用または専用コンピュータによってアクセスされ得る任意の利用可能な媒体でもよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコード手段を搬送または記憶するために使用され得、汎用もしくは専用コンピュータまたは汎用もしくは専用プロセッサによってアクセスされ得る、任意の他の媒体を含むことができる。ディスク(disk)およびディスク(disc)は、本明細書において使用されるときに、コンパクトディスク(disc)(「CD」)、レーザディスク(disc)、光ディスク(disc)、デジタル多用途ディスク(disc)(「DVD」)、フロッピー(登録商標)ディスク(disk)およびブルーレイディスク(disc)を含み、ディスク(disk)は通常、データを磁気的に再生し、一方、ディスク(disc)は、レーザを用いてデータを光学的に再生する。上記の組合せも、非一時的コンピュータ可読媒体の範囲内に含まれるべきである。
【００８３】
本開示のこれまでの説明は、当業者が本開示を作製または使用することを可能にするために提供される。本開示への様々な修正が当業者には容易に明らかになり、本明細書で定義する一般原理は、本開示の範囲を逸脱することなく他の変形形態に適用されてもよい。したがって、本開示は、本明細書で説明される例および設計に限定されるものではなく、本明細書で開示される原理および新規の特徴に一致する最大の範囲を与えられるものである。
【符号の説明】
【００８４】
10  ワイヤレスネットワーク
20  セルグループ
30  発展型ノードB
40  UE
50  ネットワークコントローラ
100  システム
110  アクセス端末
112  アンテナ
114  チャネル状態決定構成要素
116  電力制約決定構成要素
118  アンテナコントローラ
120  LTEアクセスポイント
130  Wi-Fiアクセスポイント
150  アクセス端末
152  アンテナ
154  セル特性決定構成要素
156  電力設定コントローラ
158  アンテナコントローラ
160  アクセスポイント
200  LTE MIMOシステム
210  送信機システム
212  データソース
214  送信(TX)データプロセッサ
220  TX MIMOプロセッサ
222  送信機
224  アンテナ
230  プロセッサ
232  メモリ
236  データソース
238  Txデータプロセッサ
240  復調器
242  Rxデータプロセッサ
250  受信機システム
252  アンテナ
254  受信機
260  Rxデータプロセッサ
270  プロセッサ
272  メモリ
280  変調器
300  方法
400  装置
402  プロセッサ
403  トランシーバ
404  メモリ
405  ネットワークインターフェース
410  電気構成要素またはモジュール
420  電気構成要素
430  電気構成要素
440  電気構成要素
450  電気構成要素
500  方法
600  装置
602  プロセッサ
603  トランシーバ
604  メモリ
605  ネットワークインターフェース
610  電気構成要素またはモジュール
620  電気構成要素
630  電気構成要素
【図１Ａ】
2017510195.tif 000003
【図１Ｂ】
2017510195.tif 000004
【図１Ｃ】
2017510195.tif 000005
【図２】
2017510195.tif 000006
【図３】
2017510195.tif 000007
【図４】
2017510195.tif 000008
【図５】
2017510195.tif 000009
【図６】
2017510195.tif 000010
【国際調査報告】
2017510195.tif 000011
2017510195.tif 000012
2017510195.tif 000013
2017510195.tif 000014
2017510195.tif 000015
2017510195.tif 000016